(57)【要約】      （修正有）【課題】医療検査資料を含むユーザインターフェイスを構成して表示する方法及び装置を提供する。【解決手段】方法は、医用画像管理システムの、１又は２以上の未読の医療検査資料を含む医療検査資料のリストを表示する第１のユーザインターフェイスを構成するためのユーザ指定の構成情報にアクセスするステップと、リスト内の少なくとも１つの未読の医療検査資料内の１又は２以上の画像に対して自動画像解析を実行することによって得られる所見に基づいて、ユーザ指定の構成情報に従って少なくとも１つの未読の医療検査資料の優先度情報を決定することを含む、１又は２以上の未読の医療検査資料の優先度情報を含む医療検査資料のリストを含む第１のユーザインターフェイスを作成するステップとを含む。【選択図】図６
2020087471.tif 000002
【特許請求の範囲】
【請求項１】
医用画像管理システムの、１又は２以上の未読の医療検査資料を含む医療検査資料のリストを表示する第１のユーザインターフェイスを構成するためのユーザ指定の構成情報にアクセスするステップと、
前記リスト内の少なくとも１つの未読の医療検査資料内の１又は２以上の画像に対して自動画像解析を実行することによって得られる所見に基づいて、前記ユーザ指定の構成情報に従って前記少なくとも１つの未読の医療検査資料の前記優先度情報を決定することを含む、前記１又は２以上の未読の医療検査資料の優先度情報を含む前記医療検査資料のリストを含む前記第１のユーザインターフェイスを作成するステップと、
前記優先度情報を含む前記医療検査資料のリストを含む前記第１のユーザインターフェイスを医用画像管理システムのディスプレイ画面上に表示するステップと、
を含むことを特徴とする方法。
【請求項２】
前記ユーザ指定の構成情報にアクセスするステップは、前記医用画像管理システムが、１又は２以上の未読の医療検査資料が生成された旨の指示を受け取ったことに応答して行われる、
請求項１に記載の方法。
【請求項３】
前記リスト上の医療検査資料の選択を示すユーザ入力を受け取るステップと、
前記ユーザ入力を受け取ったことに応答して、
前記医療検査資料を開くステップと、
前記医療検査資料からの１又は２以上の画像を表示するステップと、
をさらに含む、請求項１に記載の方法。
【請求項４】
前記医用画像管理システムに関連するディスプレイ画面上に、自動画像解析アルゴリズムの結果の優先レベルを指定するユーザ入力を受け取る第２のユーザインターフェイスを表示するステップと、
前記第２のユーザインターフェイスのユーザインターフェイス要素にユーザが関与している間に作成された少なくとも１つのユーザ入力からユーザ入力情報を取り込むステップと、
前記ユーザ入力情報に基づいて、前記ユーザ指定の構成情報を作成するステップと、
をさらに含む請求項１に記載の方法。
【請求項５】
前記第２のユーザインターフェイスは、自動画像解析アルゴリズムの所見の優先レベルを自動画像解析アルゴリズム毎に設定するユーザ入力を受け取ることができる、
請求項４に記載の方法。
【請求項６】
前記第２のユーザインターフェイスは、前記医療検査資料内の１又は２以上の画像に画像解析アルゴリズムを適用することによって得られる数値及びテキスト所見の一方又は両方に基づいて医療検査資料の優先度を設定するユーザ入力に応答する、
請求項４に記載の方法。
【請求項７】
前記数値は、異常性スコアを含む、
請求項６に記載の方法。
【請求項８】
前記第２のユーザインターフェイスは、優先レベルに関連する前記数値の範囲をユーザが指定できるようにする、
請求項６に記載の方法。
【請求項９】
前記優先度情報は、各医療検査資料内の少なくとも１つの画像に対して自動画像解析が実行されたかどうかを示し、画像解析が実行された場合、
所見が存在して、前記ユーザインターフェイスを介して指定された１又は２以上のキーワードを含むこと、
所見は存在するが、前記ユーザインターフェイスを介して指定された１又は２以上のキーワードを含まないこと、
所見は存在するが、前記所見にテキストが含まれていないこと、及び、
所見が存在しないこと、
のうちの１又は２以上を示す、請求項１に記載の方法。
【請求項１０】
前記ユーザ指定の構成情報は、医療検査資料の１又は２以上の画像に対して実行された自動画像解析の結果における所定の所見に応答して、アラートを送信すべきである旨を示す、
請求項１に記載の方法。
【請求項１１】
前記アラートは、メッセージ又はチャット指示を含む、
請求項１０に記載の方法。
【請求項１２】
前記アラートは、画像へのリンクを含み、前記方法は、
前記リンクのユーザ選択を受け取るステップと、
前記リンクに関連する画像を含む検査資料を開くステップと、
前記画像を表示するステップと、
をさらに含む、請求項１０に記載の方法。
【請求項１３】
前記所定の所見に関連する状態に対処する役割を担う１又は２以上の所定の医療提供者にアラートを送信するステップをさらに含む、
請求項１０に記載の方法。
【請求項１４】
前記未読の医療検査資料のうちの１つにおける画像であって、該画像に自動画像解析アルゴリズムを適用することによって得られる所見に関連する情報を示す前記画像のスナップショットを作成するステップと、
前記スナップショットを医療レポートにエクスポートするステップと、
をさらに含む請求項１に記載の方法。
【請求項１５】
医療検査資料を受け取るネットワーク通信インターフェイスと、
前記ネットワーク通信インターフェイスに結合されて、受け取った医療検査資料を記憶するメモリと、
前記メモリに結合されて、前記受け取った医療検査資料を表示するディスプレイ画面と、
前記ネットワーク接続インターフェイス、前記メモリ及び前記ディスプレイ画面に結合された１又は２以上のプロセッサと、
を備え、前記１又は２以上のプロセッサは、
医用画像管理システムの第１のユーザインターフェイスであって、１又は２以上の未読の医療検査資料を含む医療検査資料のリストを表示する第１のユーザインターフェイスを構成するための前記ユーザ指定の構成情報にアクセスし、
前記リスト内の少なくとも１つの未読の医療検査資料内の１又は２以上の画像に対して自動画像解析を実行することによって得られる所見に基づいて、前記ユーザ指定の構成情報に従って前記少なくとも１つの未読の医療検査資料の前記優先度情報を決定する前記第１のユーザインターフェイスであって、前記１又は２以上の未読の医療検査資料の優先度情報を含む前記医療検査資料のリストを含む前記第１のユーザインターフェイスを作成し、
前記優先度情報を含む前記医療検査資料のリストを含む前記第１のユーザインターフェイスを前記ディスプレイ画面上に表示する、
ように構成される、
ことを特徴とするシステム。
【請求項１６】
前記１又は２以上のプロセッサのうちの少なくとも１つのプロセッサは、さらに、
前記医用画像管理システムに関連する前記ディスプレイ画面上に、自動画像解析アルゴリズムの結果の優先レベルを指定するユーザ入力を受け取る第２のユーザインターフェイスを表示し、
前記第２のユーザインターフェイスのユーザインターフェイス要素にユーザが関与している間に作成された少なくとも１つのユーザ入力からユーザ入力情報を取り込ませ、
前記ユーザ入力情報に基づいて、前記ユーザ指定の構成情報を作成する、
ことができる、請求項１５に記載のシステム。
【請求項１７】
前記第２のユーザインターフェイスは、自動画像解析アルゴリズムの所見の優先レベルを自動画像解析アルゴリズム毎に設定するユーザ入力を受け取ることができる、
請求項１６に記載のシステム。
【請求項１８】
前記第２のユーザインターフェイスは、前記医療検査資料内の１又は２以上の画像に画像解析アルゴリズムを適用することによって得られる数値及びテキスト所見の一方又は両方に基づいて医療検査資料の優先度を設定するユーザ入力に応答する、
請求項１６に記載のシステム。
【請求項１９】
前記数値は、異常性スコアを含む、
請求項１８に記載のシステム。
【請求項２０】
前記第２のユーザインターフェイスは、優先レベルに関連する前記数値の範囲をユーザが指定できるようにする、
請求項１８に記載のシステム。
【請求項２１】
前記優先度情報は、各医療検査資料内の少なくとも１つの画像に対して自動画像解析が実行されたかどうかを示し、画像解析が実行された場合、
所見が存在して、前記ユーザインターフェイスを介して指定された１又は２以上のキーワードを含むこと、
所見は存在するが、前記ユーザインターフェイスを介して指定された１又は２以上のキーワードを含まないこと、
所見は存在するが、前記所見にテキストが含まれていないこと、及び、
所見が存在しないこと、
のうちの１又は２以上を示す、請求項１５に記載のシステム。
【請求項２２】
前記ユーザ指定の構成情報は、医療検査資料の１又は２以上の画像に対して実行された自動画像解析の結果における所定の所見に応答して、アラートを送信すべきである旨を示し、前記１又は２以上のプロセッサのうちの少なくとも１つのプロセッサは、さらに、前記ネットワーク通信インターフェイスを介して、前記所定の所見に関連する状態に対処する役割を担う１又は２以上の所定の医療提供者にアラートを送信することができる、
請求項１５に記載のシステム。
【請求項２３】
命令を記憶した非一時的コンピュータ可読記憶媒体であって、前記命令は、少なくともプロセッサと、メモリと、ディスプレイ画面とを有するシステムによって実行されたときに、前記システムに、
医用画像管理システムの第１のユーザインターフェイスであって、１又は２以上の未読の医療検査資料を含む医療検査資料のリストを表示する第１のユーザインターフェイスを構成するためのユーザ指定の構成情報にアクセスするステップと、
前記リスト内の少なくとも１つの未読の医療検査資料内の１又は２以上の画像に対して自動画像解析を実行することによって得られる所見に基づいて、前記ユーザ指定の構成情報に従って前記少なくとも１つの未読の医療検査資料の前記優先度情報を決定することを含む、前記１又は２以上の未読の医療検査資料の優先度情報を含む前記医療検査資料のリストを含む前記第１のユーザインターフェイスを作成するステップと、
前記優先度情報を含む前記医療検査資料のリストを含む前記第１のユーザインターフェイスを医用画像管理システムのディスプレイ画面上に表示するステップと、
を含む方法を実行させる、ことを特徴とするコンピュータ可読記憶媒体。
【請求項２４】
前記医用画像管理システムに関連するディスプレイ画面上に、自動画像解析アルゴリズムの結果の優先レベルを指定するユーザ入力を受け取る第２のユーザインターフェイスを表示するステップと、
前記第２のユーザインターフェイスのユーザインターフェイス要素にユーザが関与している間に作成された少なくとも１つのユーザ入力からユーザ入力情報を取り込むステップと、
前記ユーザ入力情報に基づいて、前記ユーザ指定の構成情報を作成するステップと、
をさらに含む、請求項２３に記載のコンピュータ可読記憶媒体。
【請求項２５】
前記第２のユーザインターフェイスは、自動画像解析アルゴリズムの所見の優先レベルを自動画像解析アルゴリズム毎に設定するユーザ入力を受け取ることができる、
請求項２４に記載のコンピュータ可読記憶媒体。
【請求項２６】
前記第２のユーザインターフェイスは、前記医療検査資料内の１又は２以上の画像に画像解析アルゴリズムを適用することによって得られる数値及びテキスト所見の一方又は両方に基づいて医療検査資料の優先度を設定するためのユーザ入力に応答する、
請求項２４に記載のコンピュータ可読記憶媒体。
【請求項２７】
前記数値は、異常性スコアを含む、
請求項２６に記載のコンピュータ可読記憶媒体。
【請求項２８】
前記第２のユーザインターフェイスは、優先レベルに関連する前記数値の範囲をユーザが指定できるようにする、
請求項２６に記載のコンピュータ可読記憶媒体。
【請求項２９】
前記優先度情報は、各医療検査資料内の少なくとも１つの画像に対して自動画像解析が実行されたかどうかを示し、画像解析が実行された場合、
所見が存在して、前記ユーザインターフェイスを介して指定された１又は２以上のキーワードを含むこと、
所見は存在するが、前記ユーザインターフェイスを介して指定された１又は２以上のキーワードを含まないこと、
所見は存在するが、前記所見にテキストが含まれていないこと、及び、
所見が存在しないこと、
のうちの１又は２以上を示す、請求項２３に記載のコンピュータ可読記憶媒体。
【請求項３０】
前記ユーザ指定の構成情報は、医療検査資料の１又は２以上の画像に対して実行された自動画像解析の結果における所定の所見に応答して、アラートを送信すべきである旨を示し、前記方法は、前記所定の所見に関連する状態に対処する役割を担う１又は２以上の所定の医療提供者にアラートを送信するステップをさらに含む、
請求項２３に記載のコンピュータ可読記憶媒体。
【発明の詳細な説明】
【技術分野】
【０００１】
本発明の実施形態は、医用撮像の分野に関し、具体的には、自動画像解析からの所見に基づいて医療検査資料のリストを構成して表示することに関する。
【背景技術】
【０００２】
医師及びその他の医療従事者は、医療上の決断を行う際に患者の関連する臨床情報を全て見直すことが多い。通常、臨床情報は、医療検査資料及び構造化レポートに含まれる。多くの場合、これらの情報は、病歴に関する情報、異なる分野からの診断レポート、画像、及びその他の電子形態の臨床データを含む。
【０００３】
患者の医療検査資料は、検査又は処置から得られたパラメータ値（例えば、測定値、読み取り値など）及び画像を含む画像診断レポートを含み、通常、これらは、診断及び治療に役立つように医師間及び臨床医間で共有される。
【０００４】
通常、医療検査資料は、医師が患者の検査を指示したことに応答して生成される。多くの場合、検査が行われると、生成された検査資料は画像保管通信システム（ＰＡＣＳ）に送信される。医師又は臨床医は、医用画像管理システムを使用して、患者の検査資料を含むワークリストを取得することができる。現在のシステムでは、ユーザが様々な入力に基づいてこれらのワークリストをソートすることができ、これらの多くは、観察又は説明された患者の状態に基づいて医師が検査を指示した際に設定される優先レベルに基づく。例えば、医師によって割り当てられる優先度は、例えば通常（Ｒｏｕｔｉｎｅ）、早急（ＳＴＡＴ）、緊急（Ｕｒｇｅｎｔ）などのいくつかの一般的な業界用語に相関することができる。
【発明の概要】
【発明が解決しようとする課題】
【０００５】
最近では、放射線ＰＡＣＳシステムと共に様々な人工知能（ＡＩ）アルゴリズムが利用されている。これらのアルゴリズムは、医療検査資料内の画像評価プロセスを自動化する。これらのアルゴリズムは、１つの画像又は検査資料全体に適用することができ、解釈する医師及びその他の臨床ユーザはその結果にアクセスすることができる。たとえアルゴリズムの結果を利用できたとしても、場合によっては指示を行う医師が設定した優先度を含むことができる他の方法によって検査資料のリストがソートされた場合には、解釈する医師が所見に気付かないこともある。処置に関連する自動化された所見は、単独で優先度が変化することはないので、自動化された結果がリストの下の方に現れてタイムリーに見直されないこともあり、このため所見の優先レベルに関連する速さで見直しが行われない場合には、患者にさらなる悪影響又は治療の遅れをもたらす恐れがある。
【課題を解決するための手段】
【０００６】
医療検査資料を含むユーザインターフェイスを構成して表示する方法及び装置。１つの実施形態では、方法が、医用画像管理システムの、１又は２以上の未読の医療検査資料を含む医療検査資料のリストを表示する第１のユーザインターフェイスを構成するためのユーザ指定の構成情報にアクセスするステップと、リスト内の少なくとも１つの未読の医療検査資料内の１又は２以上の画像に対して自動画像解析を実行することによって得られる所見に基づいて、ユーザ指定の構成情報に従って少なくとも１つの未読の医療検査資料の優先度情報を決定することを含む、１又は２以上の未読の医療検査資料の優先度情報を含む医療検査資料のリストを含む第１のユーザインターフェイスを作成するステップと、優先度情報を含む医療検査資料のリストを含む第１のユーザインターフェイスを医用画像管理システムのディスプレイ画面上に表示するステップと、を含む。
【０００７】
本発明は、以下に示す詳細な説明及び本発明の様々な実施形態の添付図面からさらに完全に理解されると思われるが、これらは、本発明を特定の実施形態に限定するものではなく、説明及び理解のためのものにすぎないと受け取るべきである。
【図面の簡単な説明】
【０００８】
【図１】本発明の実施形態を実装できる例示的な医療情報コンピュータシステム環境を示す図である。
【図２】グラフィックユーザインターフェイス（ＧＵＩ）内に医療検査資料情報（例えば、画像、グラフ、パラメータ値など）を表示するコンピュータシステムアーキテクチャの１つの実施形態を示すブロック図である。
【図３】医療検査資料の１又は２以上の画像に適用された自動画像解析アルゴリズムからの所見に基づく優先度情報を含む未読の医療検査資料のリスト（例えば、ワークリスト）を構成して表示するプロセスの１つの実施形態のデータフロー図である。
【図４】未読の検査資料及びその関連する優先レベルをリストする表示されたワークリストＧＵＩを構成するために使用できるユーザインターフェイスの例を示す図である。
【図５Ａ】医療検査資料のリストを示すユーザインターフェイスの１つの実施形態の一例を示す図である。
【図５Ｂ】医療検査資料のリストの１つの実施形態の優先カラー列に出現し得る異なるアイコン及びソート順の例を示す図である。
【図６】優先度情報を含む医療検査資料のリストを構成して生成するプロセスの１つの実施形態のフロー図である。
【図７】医療検査資料からの画像を生成して描画する医用画像及び情報管理システムの論理的表現の例示的な実施形態を示す図である。
【発明を実施するための形態】
【０００９】
以下の説明では、本発明を完全に説明できるように数多くの詳細を示す。しかしながら、当業者には、これらの特定の詳細を伴わずに本発明を実施できることが明らかであろう。他の例では、本発明を曖昧にしないように、周知の構造及び装置については詳細にではなくブロック図形式で示す。
【００１０】
本発明の実施形態は、優先度情報（例えば、緊急、非緊急など）を含む医療検査資料のリスト（例えば、ワークリスト）をディスプレイ装置上に描画して表示するためのシステム、方法及びＧＵＩに関する。１つの実施形態では、ディスプレイ装置が医用画像管理システムの一部であり、又は医用画像管理システムに関連する。１つの実施形態では、システムが、医療検査資料内の画像に適用される自動画像解析アルゴリズムによって生成される所見からの情報を使用して、リスト上の医療検査資料の順序（例えば、並び順）又は優先度を決定するように構成される。１つの実施形態では、リストが画像解析アルゴリズム（例えば、人工知能（ＡＩ）画像解析アルゴリズム）毎に構成可能であって実際の機械学習（ＭＬ）の結果に基づいて優先順位付けされることにより、例えば病院又はその他の医療提供機関の個人などの個人が、ＡＩ結果の重症度に基づいて検査資料をリスト上の高位に提示するようにシステムを構成することができる。これにより、医療検査資料のリストが危機的な／切迫した結果をリストの上位に提示してさらに素早い診断を可能にすることができる。本発明の概要を簡潔に説明したところで、図１〜図７を参照しながら本発明の実施形態を説明する。
【００１１】
本明細書では、法令要件を満たすように本発明の実施形態の主題を特異的に説明する。しかしながら、この説明自体は、本発明の範囲を限定するように意図されたものではない。むしろ、本発明者らは、現在の又は将来的な他の技術と併せて異なるステップ、又は本明細書で説明するものと同様のステップの組み合わせを含むように、特許請求する主題を他の形でも具体化できることを目論んでいる。
【００１２】
本発明の実施形態を簡潔に説明したところで、以下、本発明の実施形態の実装において使用するのに適した例示的な動作環境について説明する。
【００１３】
全般的に図面を参照すると、特に最初に図１に、本発明の実施形態を実装できる医療情報コンピュータシステム環境を示し、全体を参照番号１２０として指定する。当業者であれば、図示の医療情報コンピュータシステム環境１２０は１つの好適なコンピュータ環境の一例にすぎず、本発明の使用又は機能の範囲に関するいずれかの限定を示唆するように意図されたものではないと理解するであろう。また、医療情報コンピュータシステム環境１２０は、図示のいずれかの単一のコンポーネント又はコンポーネントの組み合わせに関する依存性又は要件を有するものでもないと解釈されたい。
【００１４】
本開示の実施形態は、数多くの汎用又は専用コンピュータシステム環境又は構成と共に動作することができる。本発明との使用に適することができる周知のコンピュータシステム、環境及び／又は構成の例としては、ほんの一例として、パーソナルコンピュータ、サーバコンピュータ、ハンドヘルド装置又はラップトップ装置、マルチプロセッサシステム、マイクロプロセッサベースのシステム、プログラム可能な消費者電子機器、ネットワークＰＣ、ミニコンピュータ、メインフレームコンピュータ、及び上述したシステム又は装置のうちのいずれかを含む分散コンピュータ環境などが挙げられる。
【００１５】
本発明の実施形態は、コンピュータがプログラムモジュールなどのコンピュータ実行可能命令を実行する一般的状況で説明することができる。一般に、プログラムモジュールは、以下に限定するわけではないが、特定のタスクを実行する、又は特定の抽象データ型を実装するルーチン、プログラム、オブジェクト、コンポーネント及びデータ構造を含む。本発明は、通信ネットワークを通じてリンクされた遠隔処理装置によってタスクが実行される分散コンピュータ環境で実施することもできる。分散コンピュータ環境では、一例としてメモリ記憶装置を含む局所的及び／又は遠隔的コンピュータ記憶媒体に関連付けてプログラムモジュールを配置することができる。
【００１６】
引き続き図１を参照すると、例示的な医療情報コンピュータシステム環境１２０は、制御サーバ１２２の形の汎用コンピュータ装置を含む。制御サーバ１２２のコンポーネントは、処理ユニットと、内部システムメモリと、データベースクラスタ１２４を含む様々なシステムコンポーネントを制御サーバ１２２に結合するための好適なシステムバスとを制限なく含むことができる。システムバスは、様々なバスアーキテクチャのうちのいずれかを使用するメモリバス又はメモリコントローラ、周辺バス及びローカルバスを含む複数タイプのバス構造のうちのいずれかとすることができる。限定ではなく一例として、このようなアーキテクチャは、業界標準アーキテクチャ（ＩＳＡ）バス、マイクロチャネルアーキテクチャ（ＭＣＡ）バス、高度ＩＳＡ（ＥＩＳＡ）バス、ビデオ電子標準協会（ＶＥＳＡ）ローカルバス、及びＭｅｚｚａｎｉｎｅバスとしても知られている周辺コンポーネント相互接続（ＰＣＩ）バスを含む。
【００１７】
通常、制御サーバ１２２は、例えばデータベースクラスタ１２４などの様々なコンピュータ可読媒体を含み、又はこのようなコンピュータ可読媒体にアクセスすることができる。コンピュータ可読媒体は、サーバ１２２がアクセスできるあらゆる利用可能な媒体とすることができ、揮発性及び不揮発性媒体、並びに取り外し可能及び取り外し不能媒体を含む。限定ではなく一例として、コンピュータ可読媒体は、コンピュータ記憶媒体を含むことができる。コンピュータ記憶媒体は、コンピュータ可読命令、データ構造、プログラムモジュール又はその他のデータなどの情報を記憶するためのいずれかの方法又は技術で実装された揮発性及び不揮発性媒体、並びに取り外し可能及び取り外し不能媒体を制限なく含むことができる。この点、コンピュータ記憶媒体は、以下に限定するわけではないが、ＲＡＭ、ＲＯＭ、ＥＥＰＲＯＭ、フラッシュメモリ又はその他のメモリ技術、ＣＤ−ＲＯＭ、デジタル多用途ディスク（ＤＶＤ）又はその他の光ディスクストレージ、磁気カセット、磁気テープ、磁気ディスクストレージ又はその他の磁気記憶装置、或いは所望の情報を記憶するために使用できるとともに制御サーバ１２２がアクセスできる他のいずれかの媒体を含むことができる。限定ではなく一例として、通信媒体は、有線ネットワーク又は直接配線接続などの有線媒体と、音響、ＲＦ、赤外線及びその他の無線媒体などの無線媒体とを含む。コンピュータ可読媒体の範囲には、上記のうちのいずれかの組み合わせを含めることもできる。
【００１８】
図１に示して上述したデータベースクラスタ１２４を含むコンピュータ記憶媒体は、コンピュータ可読命令、データ構造、プログラムモジュール、及び制御サーバ１２２のための他のデータのストレージを提供する。制御サーバ１２２は、１又は２以上のリモートコンピュータ１２８への論理接続を使用してコンピュータネットワーク１２６内で動作することができる。リモートコンピュータ１２８は、例えば以下に限定するわけではないが、臨床検査室（例えば、分子臨床検査室）、病院及びその他の入院患者環境、獣医環境、外来環境、医療費請求事務室及び財務室、病院管理環境、在宅医療環境及び診療所などの医療又は研究環境内の様々な位置に配置することができる。臨床医は、以下に限定するわけではないが、１又は複数の治療担当医、集中治療専門医、外科医、放射線医、循環器専門医及び腫瘍医などの専門医、救急医療技師、医師の助手、実地看護師、看護師、補助看護師、薬剤師、栄養士、微生物学者、検査室専門家、検査室技師、放射線技師、研究者、獣医及び学生などを含む。リモートコンピュータ１２８は、医療団体全体をネットワーク上で一体化できるように非伝統的な医療環境内に物理的に配置することもできる。リモートコンピュータ１２８は、パーソナルコンピュータ、サーバ、ルータ、ネットワークＰＣ、ピア装置、又は他の共通ネットワークノードなどとすることができ、制御サーバ１２２に関して上述した要素の一部又は全部を含むことができる。装置は、携帯情報端末、又は他の同様の装置とすることができる。
【００１９】
例示的なコンピュータネットワーク１２６は、ローカルエリアネットワーク（ＬＡＮ）及び／又はワイドエリアネットワーク（ＷＡＮ）を制限なく含むことができる。このようなネットワーク環境は、オフィス、企業規模のコンピュータネットワーク、イントラネット及びインターネットにおいて一般的である。制御サーバ１２２は、ＷＡＮネットワーク環境で利用される場合、インターネットなどのＷＡＮを介して通信を確立するためのモデム又はその他の手段を含むことができる。ネットワーク環境では、プログラムモジュール又はその一部を、制御サーバ１２２、データベースクラスタ１２４、又はいずれかのリモートコンピュータ１２８に関連付けて記憶することができる。限定ではなく一例として、いずれか１つ又は２つ以上のリモートコンピュータ１２８に関連するメモリ上には、様々なアプリケーションプログラムが存在することができる。当業者であれば、図示のネットワーク接続は例示であり、コンピュータ（例えば、制御サーバ１２２及びリモートコンピュータ１２８）間の通信リンクを確立する他の手段を利用することもできると理解するであろう。
【００２０】
臨床医は、活動中に、キーボード、（一般にマウスと呼ばれる）ポインティングデバイス、トラックボール又はタッチパッドなどの入力装置を通じて制御サーバ１２２にコマンド及び情報を入力し、或いは１又は２以上のリモートコンピュータ１２８を介して制御サーバ１２２にコマンド及び情報を伝えることができる。他の入力装置は、マイク又はスキャナなどを制限なく含むことができる。コマンド及び情報は、遠隔医療装置から制御サーバ１２２に直接送信することもできる。制御サーバ１２２及び／又はリモートコンピュータ１２８は、モニタに加えてスピーカ及びプリンタなどの他の周辺出力装置を含むこともできる。
【００２１】
制御サーバ１２２及びリモートコンピュータ１２８の他の多くの内部コンポーネントについては図示していないが、当業者であれば、このようなコンポーネント及びその相互接続は周知であると理解するであろう。従って、本明細書では、制御サーバ１２２及びリモートコンピュータ１２８の内部構造に関するさらなる詳細についてはさらに開示しない。
【００２２】
図２は、医療検査資料からの現在パラメータ値と以前のパラメータ値とをディスプレイ画面上で同時に見るための例示的なコンピュータシステムアーキテクチャを示すブロック図である。なお、図２に示すコンピュータシステムアーキテクチャは、１つの好適なコンピュータシステムの例にすぎず、いずれかの単一のモジュール／コンポーネント又はモジュール／コンポーネントの組み合わせに関連するいずれかの依存性又は要件を有するように意図されたものではないと理解されるであろう。
【００２３】
１つの実施形態では、コンピュータシステムが、検査資料ビューア２００と、未読の医療検査資料（及び、場合によっては他の医療検査資料）を記憶して維持する１又は２以上のデータベース２３０と、例えばデータベース２３０に記憶された医療検査資料などの未読の医療検査資料の画像に１又は２以上の自動画像解析アルゴリズム（例えば、人工知能（ＡＩ）解析アルゴリズム）を適用することによって得られる所見を記憶して維持する１又は２以上のデータベース２３１とを含む。１つの実施形態では、医療検査資料が、医療検査に関連する画像と、例えば１又は２以上の医療パラメータ（例えば、測定値など）などの検査データとを含む。例示的な医用画像は、放射線画像、検査室画像、写真、心エコー画像などの心臓病画像、及びその他の医用画像を含む。当業者であれば、データベースは、個別に維持することも、又は統合することもできると理解するであろう。データベース２３０は、患者の電子医療記録（ＥＭＲ）内から画像及び／又は検査データを選択し、ビューアコンポーネント２１４を介してビューア内に表示できるように、或いは画像、ＥＫＧの写真、注記などを記憶するＶＮＡ（ベンダー中立アーカイブ）にリンクできるように、ＥＭＲにリンクされた画像又はその他の検査データ（例えば、パラメータ値（例えば、測定値））を含むことができる。本明細書で使用する「ＥＭＲ」という頭字語は、限定的であることを意図したものではなく、デジタルフォーマットで示される患者の医療記録の一部又は全部の態様を広く意味する。一般に、ＥＭＲは、コンピュータ装置を用いた個人記録の記憶と検索とを協調させるように構成されたシステムによってサポートされる。従って、このようにして様々なタイプの医療関連情報を記憶し、これらにアクセスすることができる。１つの実施形態では、自動画像解析アルゴリズムが、医療検査資料の１又は２以上の画像に対して実行されるＡＩ解析アルゴリズムである。これらのアルゴリズムは、検査資料及びその関連画像を受け取ってこれらの画像に自動的にこれらのアルゴリズムを適用する１又は２以上のサーバを使用して遠隔的に適用することができる。或いは、ＡＩ解析アルゴリズムは、医用画像管理システムが検査資料を受け取った後に、画像解析コンポーネント２１０によって医療検査資料の画像に対して局所的に適用される。或いは、これらのアルゴリズムのいくつかが遠隔的に実行され、他のアルゴリズムが局所的に実行される。
【００２４】
アルゴリズムは、画像にアルゴリズムを適用した結果を詳述した所見を生成する。１つの実施形態では、これらのアルゴリズムが、アルゴリズムによって識別された考えられる患者の状態を示すテキスト所見と、画像に対して実行された解析に基づいて患者に異常がある可能性を示す大きさを含む異常性スコアとを生成する（スコアが高ければ高いほど可能性も高い）。なお、別の実施形態では、アルゴリズムからの所見に診断の信頼度などの他のスコアを含めることもできる。
【００２５】
１つの実施形態では、医用画像管理システムが、自動画像解析所見（例えば、ＡＩ解析所見）に基づいて別のユーザ（例えば、医師、臨床医など）に提示される検査資料のワークリスト内の医療検査資料が表示される優先度を、ユーザ（例えば、病院又はその他の医療施設のシステム管理者）が自身のユーザ指定情報を通じてシステムレベルで制御できるようにする。すなわち、ユーザ指定情報は、自動画像解析（例えば、ＡＩ解析アルゴリズム）結果の一部として生成された所見に基づいて、医療検査資料のワークリストを提示するグラフィックユーザインターフェイス（ＧＵＩ）（例えば、ユーザがソートできるＧＵＩ）の優先順位付け及び／又は構成を行う。１つの実施形態では、これらの所見を、例えば以下に限定するわけではないが、医療検査資料の画像に対する画像解析アルゴリズムによって生成された所見に含まれる単語などのテキスト所見とすることができる。１つの実施形態では、所見が、自動画像解析アルゴリズムによって生成されたスコア（例えば、異常性スコア、解析結果に関連する数値信頼度指標など）を含む。
【００２６】
１つの実施形態では、医療検査資料のワークリストが１又は２以上の未読の医療検査資料を含み、医師は、いつ検査を実行すべきであるかの順序付けプロセスの一部としてこれらの医療検査資料の各検査資料に優先レベルを割り当てる。通常、未読の検査資料は、医師によって割り当てられたこの優先レベルに従ってワークリスト内にリストされる。しかしながら、システムを構成することによって、ワークリストを表示するユーザインターフェイスは、ワークリスト内の１又は２以上の検査資料の１又は２以上の医用画像に対して自動画像解析を実行することによって得られる所見に基づいて医療検査資料の優先度及び／又は未読の医療検査資料がリストされる順序を修正するように再構成される。換言すれば、自動画像解析からの所見を考慮することによって、ワークリストを基本的に再ソートすることができる。１つの実施形態では、ユーザが、未読の医療検査資料に関連する優先レベル（例えば、ＡＩ画像解析を適用した結果に関連する優先レベル）を医師の元々の優先度よりも高くするようにしかユーザインターフェイスを構成することができない。換言すれば、ユーザは、医師が指示を出した時点の優先度を下げるようにユーザインターフェイスを構成することはできない。
【００２７】
１つの実施形態では、ワークリストが、医用画像管理システムによって表示される構成グラフィックユーザインターフェイス（ＧＵＩ）を使用して構成される。１つの実施形態では、このＧＵＩが、ユーザがカーソル制御装置を使用して、又は医用画像管理システムの他の周知のコンピュータ入力装置を使用して相互作用するダイアログボックスである。１つの実施形態では、ユーザが、このＧＵＩを使用して、画像解析アルゴリズムによって提供されたスコア（例えば、異常性スコア）、及び／又は自動画像解析アルゴリズムによって生成された所見内の１又は２以上のキーワードに基づいて、医療検査資料を含むワークリスト上に表示すべき緊急度及び色を選択する。従って、ユーザは、自動画像解析アルゴリズムによって提供されたテキスト所見に基づいて、医療検査資料のワークリスト内の場所（例えば、ディスプレイ画面上で使用されるカラーインジケータ）に表示される情報を構成する。
【００２８】
１つの実施形態では、ワークリストが、自動画像解析アルゴリズムの結果におけるテキスト所見に基づいてルールが作成された場合に、ワークリスト内の医療検査資料の優先レベルを調整するために画像解析アルゴリズムからのスコア値が無視されるように構成される。すなわち、１つの実施形態では、ワークリストの優先度を構成する際に、異常性スコアと所見内に見られる１又は２以上のテキスト用語とに基づいてユーザが優先レベルを選択する場合、医療検査資料に使用して表示すべき優先レベルは、テキスト所見に関連する優先レベルである。
【００２９】
従って、システムは、自動画像解析アルゴリズム（例えば、ＡＩ解析アルゴリズムなど）からの所見内の１又は２以上のキーワード及び／又はスコアに基づいて優先レベルを決定する際に、本明細書に開示する方法を使用して、構成ユーザインターフェイスにおけるユーザ選択に基づいて、未読の医療検査資料（及び、場合によっては以前に見直された検査資料）をリストするユーザインターフェイスを、これらの未読の検査資料の各々に特定の優先レベル（例えば、切迫／緊急、危機的など）を表示するように構成する。
【００３０】
１つの実施形態では、システムが、ワークリスト内の未読の医療検査資料を優先度に基づいて自動的にソートを行う。１つの実施形態では、このソートを、ユーザの入力又は選択（例えば、列ヘッダの選択）に応答して行うことも、或いはシステムが自動的に行うこともできる。１つの実施形態では、ワークリストが、（１）医師が指定した優先度、ＡＩ（又はその他の自動画像解析）所見に基づく結果、或いは他の患者情報又は医療情報（例えば、ＭＲＮ、患者名、場所、モダリティなど）といった優先度に基づいて、最大３つの異なるソートを可能にする。別の実施形態では、ワークリストが、検査資料を順番に並べる際に医師が指定した優先度、ＡＩ（又はその他の自動画像解析）のテキスト所見に基づく優先度、又はＡＩスコア（例えば、異常性スコア）に基づく優先度に基づいてソート可能である。
【００３１】
検査資料ビューア２００は、医療検査資料のリストと、優先度情報を含む医療検査資料からの画像及び他の情報とを受け取って表示する。これらの医療検査資料は、複数のソース（例えば、データベース）から入手することができる。従って、単一の記憶リポジトリ又は単一のＰＡＣＳシステムは不要である。検査資料ビューア２００は、例えば図１を参照しながら上述した制御サーバ１２２などの１又は２以上のコンピュータ装置上に存在することができる。一例として、制御サーバ１２２はコンピュータプロセッサを含み、サーバ、パーソナルコンピュータ、デスクトップコンピュータ、ラップトップコンピュータ、ハンドヘルド装置、モバイル装置、又は消費者電子装置などとすることができる。
【００３２】
検査資料ビューア２００は、選択コンポーネント２１２と、ビューアコンポーネント２１４と、ユーザインターフェイス構成コンポーネント２１６と、描画コンポーネント２１８と、表示コンポーネント２２０とを含む。様々な実施形態では、検査資料ビューアモジュール２００が、履歴コンポーネント２２２と、情報コンポーネント２２４と、操作コンポーネント２２６とを含む。なお、検査資料ビューア２１０は、データベース２３０に記憶された医療検査資料を受け取るように示しているが、複数の施設及び／又は複数の場所に分散したデータベース、並びに医療検査資料の画像に１又は２以上の自動画像解析アルゴリズム（例えば、ＡＩ解析アルゴリズム）を適用することによって得られる所見を含む複数のソースから医療検査資料を受け取ることができると理解されるであろう。また、検査資料ビューア２００は、自動画像解析アルゴリズム（例えば、ＡＩ解析アルゴリズム）から得られる画像及び／又は所見を含む医療検査資料を、上述したソースから患者のＥＭＲ内のリンクを介して受け取ることができると理解されるであろう。
【００３３】
選択コンポーネント２１２は、医療検査資料の選択を受け取って検査資料が開かれるようにする。１つの実施形態では、医療検査資料が、１又は２以上の一連の画像と、１又は２以上のパラメータ値（例えば、測定値、所見、印象、患者の人口統計データ、及び／又は病歴／リスク因子など）とを含む。１つの実施形態では、各一連の画像が、画像の題材を様々な角度から示す１又は２以上の画像を含む。（未読の検査資料を含む）利用可能な検査資料、画像及びその他のメディアは、マルチメディアマネージャ内のリスト全体像（ｌｉｓｔ  ｐｅｒｓｐｅｃｔｉｖｅ）によって提供される。臨床医は、所望の項目を選択してビューア内で起動することができる。１つの実施形態では、所望の項目の選択をＥＭＲ又はＶＮＡ内で行うことができる。
【００３４】
選択コンポーネント２１２によって選択された医療検査資料は、各検査資料に関連する優先レベルを示す優先度情報を含む医療検査資料のリスト（例えば、ワークリスト）の一部としてリストすることができる。医療検査資料のリストは、未読の（例えば、見直されていない）医療検査資料のみを含むことも、或いは既読の医療検査資料と未読の医療検査資料とを含むこともできる。検査資料は、その優先レベルを示す優先度情報を含む。１つの実施形態では、リスト上の各医療検査資料について優先度情報が指定される。或いは、リスト上の医療検査資料の一部についてのみ優先度情報が表示される（例えば、未読の医療検査資料のみが優先度をリストされる）。優先度情報は、検査資料が高優先度（緊急又は切迫）を有するか、低優先度（例えば、非緊急）を有するか、それともこれらの間の別の優先レベルを有するかを示すことができる。１つの実施形態では、検査資料の優先レベルを医師が設定することも、又は優先レベルが自動画像解析アルゴリズム（例えば、ＡＩ解析アルゴリズム）からの所見に基づくこともできる。なお、このような両優先レベルに関連する優先度情報は、同じインターフェイス上に表示することができる。いずれにせよ、このことは、医師が各未読の医療検査資料に関連する優先度を素早く決定して検査資料を見直す順序を決定するのに役立つことができる。
【００３５】
ユーザインターフェイス構成コンポーネント２１６は、医用画像管理システムが提示する１又は２以上のユーザインターフェイスを構成する。１つの実施形態では、ユーザインターフェイス構成コンポーネント２１６が、選択コンポーネント２１２による医療検査資料の選択元である検査資料のリストを構成し、構成情報に基づいて、検査資料のリストと共に提示される優先度情報を制御する。１つの実施形態では、ユーザインターフェイス構成コンポーネント２１６が、リスト上の各検査資料（例えば、未読の検査資料）について表示すべき優先度情報が、リストされた未読の医療検査資料の画像に自動画像解析アルゴリズムを適用することによって得られる所見からの情報、医師に基づく優先順位付け、及び（例えば、他の患者情報又はモダリティ情報、以前の検査からの所見の変化（例えば、所見の変化率の増分（ｄｅｌｔａ）又は上昇など）に基づく）他のいずれかの優先順位付けのうちの１つ又は２つ以上に基づくものであるかどうかを示すユーザ指定の構成情報を受け取る。１つの実施形態では、ユーザインターフェイス構成コンポーネント２１６が、ユーザインターフェイス構成コンポーネント２１６の制御下でユーザに提示される構成ユーザインターフェイスを通じてユーザからこの情報を取得する。
【００３６】
描画コンポーネント２１８は、ユーザが構成ユーザインターフェイスを使用したことに応答して作成され記憶されたワークリスト構成情報にアクセスし、１又は２以上の未読の医療検査資料の画像に自動画像解析アルゴリズムを適用することによって得られる所見からの情報、医師に基づく優先順位付け、及び他のいずれかの優先順位付けのうちの１つ又は２つ以上に基づいてユーザ指定の構成情報に指定される通りに決定された優先度情報を含む未読の医療検査資料のリストを示すグラフィックユーザインターフェイス（ＧＵＩ）を生成する。
【００３７】
表示コンポーネント２２０は、医療検査資料からの画像及びその他のデータと、医療検査資料内の画像に自動画像解析アルゴリズムを適用することによって得られる所見とを含むグラフィックユーザインターフェイスを表示するためのモニタ、コンピュータ画面、投影装置又はその他のハードウェア装置とすることができるグラフィックディスプレイ装置を含む。表示コンポーネント２２０は、描画コンポーネント２１８が未読の医療検査資料のリスト及び優先度情報を使用して生成したＧＵＩを表示する。１つの実施形態では、未読の医療検査資料のリストが、優先度に基づいてソートされる。別の実施形態では、未読の医療検査資料のリストがソートされず、医師が、未読の医療検査資料の表示状態（例えば、優先度が高い及び／又は優先度が低い）から優先レベルを識別できるように明確に優先度情報が示される。
【００３８】
１つの実施形態では、履歴コンポーネント２２２が、複数の医用画像に関連する異なる検査資料及び臨床画像の履歴を表示する。さらに、履歴コンポーネント２２２は、表示コンポーネント２２０がビューア内に表示すべき１又は２以上の画像を履歴から選択できるようにする。例えば、選択コンポーネント２１２は、臨床医から特定の検査資料の選択を受け取ることができる。ところが、この選択された検査資料を含む画像を表示コンポーネント２２０が表示すると、履歴コンポーネント２２２は、臨床医の関心が特に高い他の検査資料及び臨床画像を表示することができる。この結果、臨床医は、ビューア内で起動すべきさらなる項目を履歴から選択することができる。
【００３９】
１つの実施形態では、情報コンポーネント２２４が、複数の医用画像、履歴、又はこれらの組み合わせに関連する追加情報を表示する。この追加情報は、患者識別情報、画像関連情報、検査資料関連情報、又はこれらの組み合わせを含む。このような追加情報は、時間関連情報を含むこともできる。
【００４０】
１つの実施形態では、操作コンポーネント２２６が、臨床医による医用画像の表示の操作を可能にする。例えば、臨床医は、画像がビューア内に描画された時に、この画像が所望の詳細レベルを見るのに十分な大きさではないと判断することができる。臨床医は、ズームイン又はズームアウトを行うことができ、操作コンポーネント２２６は、これに従って画像の表示を操作する。同様に、臨床医は、画像をパンしたいと望むこともでき、操作コンポーネント２２６は、これに従って画像の表示を操作する。
【００４１】
図３は、医療検査資料の画像のうちの１つ又は２つ以上に適用された自動画像解析アルゴリズム（例えば、ＡＩ解析アルゴリズムなど）からの所見に基づいて決定された優先度情報を含む未読の医療検査資料のリスト（例えば、ワークリスト）を構成して表示するプロセスの１つの実施形態のデータフロー図である。１つの実施形態では、このリストが、医用画像管理システムによって生成されるワークリストの一部である。
【００４２】
図３を参照すると、ユーザは、医用画像管理システム３１０を使用して、未読の医療検査資料のリストを表示するために使用されるグラフィックユーザインターフェイス３３０を、優先度情報を提示するように構成することができる。この構成は、リスト上の各検査資料の優先度をどのように決定するかを制御する。
【００４３】
１つの実施形態では、リスト（例えば、ワークリスト）内に提示される医療検査資料の画像に自動画像解析アルゴリズムを適用する際に、ユーザ（例えば、病院又は他の医療施設内のシステム管理者）が、本明細書に開示する方法を使用して、検査資料の優先権をどのように決定するかを構成することができる。１つの実施形態では、自動画像解析アルゴリズムがＡＩ自動画像解析アルゴリズムを含む。１つの実施形態では、未読の医療検査資料のリストを表示するユーザインターフェイスを構成できるユーザが、医用画像管理システムのユーザインターフェイスを構成するための構成権を有する者に限られる。
【００４４】
１つの実施形態では、医療検査資料の画像に自動画像解析アルゴリズムを適用することによって得られる所見が異常性スコアを含む。別の実施形態では、医用画像管理システムが、１又は２以上の自動画像解析アルゴリズムを実行する。１つの実施形態では、異常性スコアが医用画像管理システムに送信される。１つの実施形態では、異常性スコアの数字が大きければ大きいほど、アルゴリズムによって検査資料内の１又は２以上の画像上で異常が識別された可能性が高い。
【００４５】
１つの実施形態では、医用画像管理システムが、異常性スコアに応答して、医療検査資料のリストの列内に表示すべき優先レベルをユーザが選択できるようにする。１つの実施形態では、ユーザ（例えば、病院又は他の医療施設内のシステム管理者）が、列内で見たいと思う優先レベルを示すための緊急度及びカラー表示を選択する。１つの実施形態では、異常性スコアが個々のアルゴリズムについてのユーザ選択レベル又はそれよりも高い時に、選択された緊急度及びカラー表示が使用される。
【００４６】
１つの実施形態では、優先レベル及びその関連するカラー表示が、自動画像解析アルゴリズム（例えば、ＡＩアルゴリズム）によって送信されるテキスト所見から導出される。この場合、システムは、ユーザが１又は２以上のキーワードを識別できるようにし、このような単語が所見に含まれている（又は含まれていない）場合、構成中に選択された色がワークリストの列（例えば、アイコンワークリスト列）内に表示される。例えば、ユーザは、例えば「気胸」などのキーワードが所見の一部である場合、その自動画像解析アルゴリズムが適用された医療検査資料について所定の優先レベルが表示されるように指定することができる。
【００４７】
１つの実施形態では、医療検査資料の画像に対して画像解析を実行するために使用された自動画像解析エンジン（例えば、ＡＩ画像解析エンジン）毎に優先レベルが構成される。１つの実施形態では、これらのエンジンを、図示の自動画像解析エンジン（例えば、ＡＩ解析エンジンなど）３４０のように医用画像管理システムに組み込むことができる。別の実施形態では、これらのエンジンのうちの１つ又は２つ以上が、医用画像管理システムに対して遠隔地に配置される。このような場合、これらのエンジンを使用して画像に（単複の）自動画像解析アルゴリズムを適用した結果（所見）が、有線又は無線通信を介して医用画像管理システムに送信される。
【００４８】
コントローラ３１１は、医用画像管理システム３１０の動作を制御する。１つの実施形態では、コントローラ３１１が、１又は２以上のプロセッサ、マイクロコントローラ、及び／又はハードウェア、ソフトウェア及び／又はファームウェアの組み合わせを含む。１つの実施形態では、コントローラ３１１が、ユーザ指定の構成情報に応答して、ユーザ指定の優先順位付けに従って優先順位付けされた未読の検査資料のリストを医用画像管理システム３１０に生成させる。ユーザ指定の構成情報は、１又は２以上の未読の医療検査資料の画像に自動画像解析アルゴリズムを適用することによって得られた所見からの情報、医師に基づく優先順位付け、及び他のいずれかの優先順位付けのうちの１つ又は２つ以上をユーザ指定の優先順位付けが考慮しているかどうかを判定する。
【００４９】
１又は２以上の未読の医療検査資料３０１は、これらの医療検査資料３０１の画像に適用された１又は２以上の自動画像解析アルゴリズムからの所見又は結果３０２と共に医用画像管理システム３１０によって受け取られる。１つの実施形態では、１又は２以上の未読の医療検査資料３０１が、医用撮像（例えば、心血管系（ＣＶ）、Ｘ線透視、磁気共鳴撮像、超音波、内視鏡検査、触覚撮像、熱像、ポジトロン放出断層撮影（ＰＥＴ）及び単一光子放出コンピュータ断層撮影（ＳＰＥＣＴ）などの核医学機能撮像法など）を実行する１又は２以上の医用撮像モダリティから送信される。別の実施形態では、１又は２以上の未読の医療検査資料３０１が、医用画像管理システム３１０によって遠隔地から受け取られる。１つの実施形態では、遠隔地が、検査資料を作成する１又は２以上のモダリティ、又は遠隔地画像リポジトリ（例えば、画像保管通信システム（ＰＡＣＳ）、ＶＮＡなど）を含むことができる。
【００５０】
未読の医療検査資料３０１及び自動画像解析所見（例えば、所見３０２）が取得された後には、ワークリスト作成レイアウト生成器３１３が、メモリ３２３からワークリスト構成情報３２０を取得し、この情報を使用してディスプレイ装置３１４上のＧＵＩ（又はビューア）３３０内に検査資料のワークリスト３３２を表示する。これにより、医師又は他の医療専門家は、受け取られた検査資料と、これらを見直す必要がある優先度とを容易に確認できるようになる。このようなワークリストの例を図５Ａ〜図５Ｂに示しており、これについては以下でさらに詳細に説明する。
【００５１】
ワークリスト構成情報３２０は、コントローラ３１１の指示に基づいてディスプレイ装置３１４上のＧＵＩ（又はビューア）３３０内に構成ユーザインターフェイス３３１が表示されるようにするワークリスト構成器３１２によって生成される。ユーザは、構成ユーザインターフェイス３３１と相互作用して、１又は２以上の未読の医療検査資料の画像に自動画像解析アルゴリズムを適用することによって得られる所見からの情報、医師に基づく優先順位付け及び他のいずれかの優先順位付けのうちの１つ又は２つ以上を考慮することによって決定された優先度情報を含む未読の検査資料のワークリストを構成することができる。構成ユーザインターフェイスの１つの実施形態の例を図４に示しており、これについては以下でさらに詳細に説明する。
【００５２】
医療検査資料のユーザインターフェイスリストを構成するための情報を含むワークリスト構成情報は、ワークリストに示される未読の検査資料の優先度情報をどのように決定すべきかをユーザが指定した後に、医用画像管理システム３１０によって新たな検査資料が受け取られて未読の医療検査資料のリストを表示すべき時にアクセスできるようにメモリ３２３に記憶される。
【００５３】
図４に、未読の検査資料及びその関連する優先レベルをリストする表示されたワークリストＧＵＩを構成するために使用できるユーザインターフェイスの例を示す。図４を参照すると、ＧＵＩが３つのウィンドウ４０１〜４０３を表示しており、それぞれのウィンドウは、医療検査資料の１又は２以上の画像に自動画像解析アルゴリズムを適用した結果又は所見を提供できる各エンジンに対応する。３つのウィンドウしか示していないが、当業者であれば、ＧＵＩは、３つよりも多くの又は少ないこのようなウィンドウを有することができ、医用画像管理システムが結果を受け取ることを期待できる各自動画像解析エンジンのためのウィンドウを有することができると認識するであろう。
【００５４】
ウィンドウ４０１では、ユーザが、画像解析アルゴリズムを実行する胸部Ｘ線画像解析エンジンからの結果を有するワークリストＧＵＩ上のいずれかの医療検査資料の優先度を構成することを選択している。この例では、ユーザがサークル４１１を選択し、所見が「気胸」という単語を有する旨の条件を指定するようにウィンドウ４１２に「気胸」という単語を挿入している。この例では、ワークリスト内の優先度を示すステータス列が以下を有する。
１）所見内のテキストが「気胸」という単語を含む場合の赤色、
２）所見は存在するものの、その中のテキストが「気胸」という単語を含まない場合の灰色、
３）所見は存在するものの、その中にテキストが存在しない場合の灰色、
４）自動画像解析が実行され、かつ所見が存在しない（自動画像解析アルゴリズムを実行したが異常が見つからなかった（例えば、良好な状態である）ことを示す）場合の空のサークル、又は、
５）自動画像解析が実行されなかったことを示す何も無し。
【００５５】
ウィンドウ４０２では、ユーザが、画像解析アルゴリズムを実行する脳卒中画像解析エンジンからの結果を有するワークリストＧＵＩ上のいずれかの医療検査資料の優先度を構成することを選択している。この例では、ユーザがサークル４２１を選択し、所見が少なくとも７０の異常性スコアを有する旨の条件を指定するようにウィンドウ４２２に「７０」という異常性スコアを挿入する。サークル４２１が選択されたので、ウィンドウ４２３に入力された単語は無視される。この例では、ワークリスト内の優先度を示すステータス列が以下を有する。
１）脳卒中エンジンからの異常性スコアが７０又はそれよりも高い場合の赤色、
２）他の全ての場合の灰色、
３）所見は存在するものの異常性スコアが存在しない場合の灰色、
４）自動画像解析が実行され、かつ所見が存在しない（自動画像解析アルゴリズムを実行したが異常が見つからなかった（例えば、良好な状態である）ことを示す）場合の空のサークル、
５）自動画像解析が実行されなかったことを示す何も無し。
【００５６】
１つの実施形態では、ウィンドウ４０３において、ユーザが、画像解析アルゴリズムを実行する肺小結節画像解析エンジンからの結果を有するワークリストＧＵＩ上のいずれかの医療検査資料の優先度を設定することを選択している。この例では、ユーザがサークル４３１を選択しているが、所見が特定のキーワードを有する旨の条件を指定するキーワードをウィンドウ４３２に挿入していない。この例では、ワークリスト内の優先度を示すステータス列が以下を有する。
１）所見が存在する場合の灰色、
２）自動画像解析が実行され、かつ所見が存在しない（自動画像解析アルゴリズムを実行したが異常が見つからなかった（例えば、良好な状態である）ことを示す）場合の空のサークル、
３）自動画像解析が実行されなかったことを示す何も無し。
【００５７】
１つの実施形態では、表示される優先レベルを画像解析アルゴリズムからのスコアに基づいて変更することができるが、このスコア（例えば、異常性スコアなど）は、エンジンから受け取った時に存在していたものである。換言すれば、アルゴリズムからのスコアは変更されない。別の実施形態では、異常性スコアを変更することができる。このような変更は、画像解析アルゴリズムからのものではない情報に起因することも、又は別の画像解析アルゴリズムからのものとすることもできる（例えば、スコアには平均又はその他の数値関数が適用される）。
【００５８】
１つの実施形態では、優先レベルステータスを、（例えば、カラー表示では赤色の）緊急色及びデフォルト色（例えば、灰色）しか示さないように設定することができ、デフォルト色は、ルールが構成されていない時、又は構成ルールを適用できない時に使用される。なお、他の色を使用して優先度を伝えることもできる。
【００５９】
１つの実施形態では、テキストベースのルールを適用する（例えば、テキスト所見によって優先レベルの変更が引き起こされる）場合、たとえ所見内のスコア値が最大レベル（例えば、１００）であっても、優先レベルステータスを決定する際にこのスコアが無視される。
【００６０】
１つの実施形態では、ユーザがプラス符号を選択した時に、テキストベースのルールが「〜を含む（ｃｏｎｔａｉｎｓ）」オプションと共にしかトリガされない（図４を参照）。別の実施形態では、テキストベースのルールが、所見が特定の１又は複数の単語を含まない場合に優先度を修正するように動作することができる。１つの実施形態では、ユーザがマイナス符号を選択した時にこの修正が行われる（図４を参照）。
【００６１】
図５Ａに、医療検査資料のリストを示すユーザインターフェイスの一例を示す。図５Ａを参照すると、医療検査資料のワークリストを含むＧＵＩは、優先レベル列５００と、優先カラー列５０１と、スコア列５０２とを有する。優先レベル列５００は、医師が検査を指示する際に設定する優先レベル（例えば、通常（Ｒｏｕｔｉｎｅ）、早急（ＳＴＡＴ）、緊急（Ｕｒｇｅｎｔ）、術前（Ｐｒｅ−Ｏｐ）など）を示す情報を提供する。優先カラー列５０１は、画像解析所見（例えば、ＡＩ解析所見）によって設定される優先度である。１つの実施形態では、この列が、ユーザ指定の優先度構成情報に基づく（例えば、画像解析アルゴリズムからの所見、医師が指定した優先度などに基づく）ユーザ指定の構成情報によって決定された色を示す一方で、スコア列５０２は、画像解析アルゴリズムからの異常性スコア（或いは、他の信頼度スコア又はアルゴリズムスコア）を含む。
【００６２】
図５Ｂに、優先カラー列（例えば、アイコン列）に表示できる異なるアイコン及びソート順の例を示す。アルゴリズムベンダーに依存して追加情報が提供された場合には、ソートをさらに洗練させるための追加基準としてさらなる構成値を追加することができる。
【００６３】
１つの実施形態では、ＧＵＩワークリストのスコア列内の情報を昇順又は降順に、さらには他の列と共にソートすることができる。なお、ユーザが様々な因子に基づいてソートを行いたいと望む理由は、画像解析アルゴリズム（例えば、ＡＩ解析アルゴリズムなど）が画像上で何かを発見して高い異常性スコアを割り当てるかもしれないからであるが、このことは、診断を行うユーザが直ぐに気付く必要があることを意味するわけではない。
【００６４】
従って、医用画像管理システムは、上述した方法を使用して、所見に基づいて医療検査資料のリスト内の医療検査資料に関連する優先度を構成できるように医療検査資料のリストのユーザインターフェイスを構成し、自動画像解析アルゴリズムは、検査を指示する医師が最初に割り当てるものよりも高い確率を保証するテキスト所見又は異常性スコアを有することができる。
【００６５】
図６は、優先度情報を含む医療検査資料のリストを構成して生成するプロセスの１つの実施形態のフロー図である。１つの実施形態では、このプロセスが、ハードウェア（回路、専用ロジックなど）、ソフトウェア（例えば、チップ上で実行されるソフトウェア）、ファームウェア、又はこれらの組み合わせを含むことができる処理ロジックによって実行される。１つの実施形態では、プロセスが医用画像管理システムによって実行される。
【００６６】
図６を参照すると、このプロセスは、処理ロジックが、医用画像管理システムに関連するディスプレイ画面上に、自動画像解析アルゴリズムの結果についての優先レベルを指定するユーザ入力を受け取ることができるユーザインターフェイスを表示することによって開始する（処理ブロック６０１）。１つの実施形態では、このユーザインターフェイスが、自動画像解析アルゴリズムの所見に従って自動画像解析アルゴリズム毎に優先レベルを設定するためのユーザ入力を受け取る。１つの実施形態では、ユーザインターフェイスが、医療検査資料内の１又は２以上の画像に画像解析アルゴリズムを適用することによって得られる数値及びテキスト所見の一方又は両方に基づいて医療検査資料の優先度を設定するためのユーザ入力に応答する。１つの実施形態では、この数値が異常性スコアを含む。１つの実施形態では、ユーザインターフェイスが、優先レベルに関連する数値の範囲をユーザが指定できるようにする。
【００６７】
１つの実施形態では、優先度情報が、各医療検査資料内の１又は２以上の画像に対して自動画像解析が実行されたかどうかを示し、画像解析が実行された場合には、ユーザインターフェイスを介して指定された１又は２以上のキーワードを含む所見が存在すること、ユーザインターフェイスを介して指定された１又は２以上のキーワードを含まない所見が存在すること、テキストを含まない所見が存在すること、及び所見が存在しないことのうちの１つ又は２つ以上を示す。
【００６８】
処理ロジックは、ユーザインターフェイスを使用して、ユーザが構成ユーザインターフェイスのユーザインターフェイス要素に関与している間に作成される、少なくとも１人のユーザからのユーザ入力情報を取り込み（処理ブロック６０２）、取り込んだユーザ入力情報に基づいてユーザ指定の構成情報を作成する（処理ブロック６０３）。１つの実施形態では、ユーザ指定の構成情報が、優先度情報をどのように決定して、未読の医療検査資料をリストするワークリストＧＵＩ内にどのように示すかを指定する。１つの実施形態では、ユーザ指定の構成情報が、後で新たな医療検査資料が見直しのために受け取られた時に、医療検査資料及び関連の優先レベルをリストするユーザインターフェイスを構成するためにアクセスできるようにメモリに記憶される。
【００６９】
その後、処理ロジックは、未読の医療検査資料のリストをユーザインターフェイス内に表示すべき時にユーザ指定の構成情報にアクセスして、１又は２以上の未読の医療検査資料を含む医療検査資料のリストを表示する医用画像管理システムのユーザインターフェイス（例えば、ワークリストＧＵＩ）を構成する（処理ブロック６０４）。１つの実施形態では、ユーザ指定の構成情報へのアクセスが、１又は２以上の未読の医療検査資料が生成された旨の指示を医用画像管理システムが受け取ったことに応答して行われる。
【００７０】
処理ロジックは、ユーザ指定の構成情報を使用して、１又は２以上の未読の医療検査資料の優先度情報を含む医療検査資料のリストを含むユーザインターフェイスを作成する（処理ブロック６０５）。１つの実施形態では、ユーザインターフェイスの作成が、未読の検査資料内の１又は２以上の画像に対して自動画像解析を実行することによって得られる所見に基づいて、ユーザ指定の構成情報に従ってリスト内の少なくとも１つの未読の医療検査資料の優先度情報を決定することを含む。
【００７１】
処理ロジックは、この優先度情報を含む医療検査資料のリストを含むユーザインターフェイスを医用画像管理システムのディスプレイ画面上に表示する（処理ブロック６０６）。
【００７２】
処理ロジックは、医療検査資料のリストが生成されると、ユーザ入力に応答して（例えば、リスト上の検査資料を開いたり、画像解析の所見に関連する画像を表示したり、レポート又は通信のためのスナップショットを作成したり、所見に応答してアラートを送信したりなどの）１又は２以上の動作を実行する（処理ブロック６０７）。１つの実施形態では、これらの動作が、リスト上の医療検査資料の選択を示すユーザ入力を受け取り、ユーザ入力を受け取ったことに応答して医療検査資料を開き、医療検査資料からの１又は２以上の画像を表示することを含む。別の実施形態では、これらの動作が、ユーザインターフェイス内でユーザ入力（例えば、カーソルクリック又はその他の指示）を受け取り、所見を示す又は所見に相関する画像に対して検査資料を開かせることを含む。さらに別の実施形態では、これらの動作が、未読の医療検査資料のうちの１つの検査資料内の、画像に自動画像解析アルゴリズムを適用することによって得られる所見に関連する情報を示す画像のスナップショットを作成し、このスナップショットを医療レポート、チャット又は他の形態の通信にエクスポートすることを含む。
【００７３】
１つの実施形態では、ユーザ指定の構成情報が、医療検査資料の１又は２以上の画像に対して実行された自動画像解析の結果における所定の所見に応答してアラート（例えば、ＳＭＳ、テキスト、ｅメール、又は他のメッセージ、医師とのチャットセッションが望ましいことを示すチャット指示など）を送信すべきである旨を示す。１つの実施形態では、アラートが、所定の所見に関連する状態に対処する役割を担う１又は２以上の医療提供者に送信される。１つの実施形態では、アラートが、自動画像解析アルゴリズムによって生成された医療検査資料の所見に関連する画像へのリンクを含む。このような場合、アラートは、所見に関連する画像を含む検査資料を開くためにユーザが選択するリンクを含むことができ、システムはこの画像を表示する。なお、アラートの送信は、所見に応答して自動的に行うことができ、医療検査資料のリストが表示されることには依存せず、それまで待つ必要もない。
【００７４】
他の動作を実行することもできる。
【００７５】
例示的な医用画像管理システム
図７に、上述した現在及び以前のパラメータ値を含むレイアウトを生成して描画する医用画像及び情報管理システム７００の論理的表現の例示的な実施形態を示す。１つの実施形態では、システム７００が、上述したような医用画像システムの一部である。
【００７６】
医用画像及び情報管理システム７００は、第１の伝送媒体７２０を介して通信インターフェイスロジック７１０に結合された１又は２以上のプロセッサ７０１を含む。通信インターフェイスロジック７１０は、他の電子装置との通信、とりわけ医師、看護師及び／又は医療技師などの遠隔ユーザ、医療検査資料を記憶する遠隔データベース（例えば、ＰＡＣＳ）、検査資料を生成して送信する医療モダリティ、検査資料の画像に画像解析アルゴリズムを適用して結果に基づいて所見を生成する１又は２以上の遠隔地（例えば、クラウドベースのサーバ）との通信を可能にする。本開示の１つの実施形態によれば、通信インターフェイスロジック７１０は、有線コネクタのための１又は２以上のポートを含む物理的インターフェイスとして実装することができる。これに加えて、又はこれとは別に、通信インターフェイスロジック７１０は、他の電子装置との無線通信をサポートするための１又は２以上の無線ユニットと共に実装することもできる。
【００７７】
（単複の）プロセッサ７０１は、第２の伝送媒体７２５を介して永続ストレージ７３０にさらに結合される。本開示の１つの実施形態によれば、永続ストレージ７３０が、（ａ）ユーザインターフェイスロジック７４１と、（ｂ）描画ロジック７４２と、（ｃ）通知／アラートロジック７４３と、（ｄ）ワークリスト構成ロジック７３１と、（ｅ）インポートロジック７３２と、（ｆ）スナップショット生成ロジック７３３と、（ｇ）ディスプレイ制御ロジック７３４と、（ｈ）ユーザインターフェイス構成データベース７３５と、（ｉ）注記データベース７３６と、（ｊ）記録データベース７３７とを含むことができる。
【００７８】
ワークリスト構成ロジック７３１は、医療検査資料のリスト上に医療検査資料と共に表示される優先度をシステムがどのように決定するかをユーザが設定できるようにするワークリスト構成ＧＵＩを生成するためのロジックを含む。１つの実施形態では、ロジック７３１が、ユーザインターフェイスを表示し、ユーザとユーザインターフェイスとの相互作用を取り込んで、見直すべき医療検査資料をリストするユーザインターフェイスのための優先度情報の決定及び生成を指示するために将来的にアクセスされるユーザ指定の構成情報を作成することを含む、図４のユーザインターフェイスに関連して説明した動作を実行する。１つの実施形態では、優先度情報が、医療検査資料の画像に自動画像解析アルゴリズム（例えば、ＡＩ解析アルゴリズムなど）を適用することによって得られる所見に基づいて決定される。
【００７９】
１つの実施形態では、ユーザインターフェイスロジック７４１が、ユーザとディスプレイ画面上に表示されている表示領域との間の相互作用を可能にするためのロジックを含む。ユーザインターフェイスは、医療検査資料のリスト（例えば、ＧＵＩワークリスト）内の優先度をどのように決定するかをユーザが設定できるようにする構成ユーザインターフェイスと、ユーザと構成ユーザインターフェイスとの相互作用から取り込まれたユーザ指定の構成情報に基づいて決定される優先度情報と共に医療検査資料（例えば、未読の医療検査資料）をリストするユーザインターフェイスとを含む。ユーザインターフェイス構成及び検査資料データベース７３５は、医療検査資料、並びにその関連する画像及びデータ（例えば、結果又は所見）と共にユーザ指定の構成情報を記憶する。
【００８０】
描画ロジック７４２は、例えば上述したようなユーザインターフェイスのためのデータを生成するロジックを含む。１つの実施形態では、描画ロジック７４２が、医療検査資料のデータに対して、いずれかの画像及び所見を含む検査資料の内容を表示するための表示データを生成する１又は２以上の処理動作を実行する。
【００８１】
通知／アラートロジック７４３は、検査資料を見直すための通知及び／又はアラートを発行して医師及び医療従事者に送信するロジックを含む。１つの実施形態では、通知／アラートロジック７４３が、医療検査資料の１又は２以上の画像に対して実行された自動画像解析の結果における所定の所見に応答してアラート（例えば、ＳＭＳ、テキスト、ｅメール、又は他のメッセージ、医師とのチャットセッションが望ましいことを示すチャット指示など）を送信する。１つの実施形態では、所定の所見が、閾値レベルを上回る異常性スコアを含む。別の実施形態では、所定の所見が、所見内の１又は２以上のキーワードを含む。さらに別の実施形態では、所定の所見が、閾値レベルを上回る異常性スコアと、所見内の１又は２以上のキーワードとを含む。１つの実施形態では、アラートが、所定の所見に関連する状態に対処する役割を担う１又は２以上の所定の医療提供者に送信される。例えば、１つの実施形態では、患者が脳卒中を起こした可能性が高いことが所見によって示された場合、患者のケアを行う特定の医療施設の脳卒中チームに自動的にアラートが送信される。１つの実施形態では、アラートが、自動画像解析アルゴリズムによって生成された医療検査資料の所見に関連する画像へのリンクを含む。このような場合、アラートは、所見に関連する画像を含む検査資料を開くためにユーザが選択するリンクを含むことができ、システムはこの画像を表示する。
【００８２】
画像解析ロジック７４４は、医療検査資料からの画像に対して１又は２以上の画像解析アルゴリズムを実行する。１つの実施形態では、画像解析アルゴリズムがＡＩ解析アルゴリズムである。画像解析アルゴリズムを適用した結果を使用して、アルゴリズムが適用された医療検査資料と共に表示される優先レベルを決定する。
【００８３】
インポートロジック７３２は、記憶装置から１又は２以上の情報を検索し、これらの各情報をビューア又はビューアテンプレートの独立した表示領域内にインポートするためのロジックを含むことができる。例えば、これらの情報は、以下に限定又は制限するわけではないが、（ｉ）自動画像解析アルゴリズム（例えば、ＡＩアルゴリズム）からの所見、（ｉｉ）ｘ線、マンモグラム、コンピュータ断層撮影（ＣＴ）走査、磁気共鳴撮像（ＭＲＩ）、ポジトロン放出断層撮影（ＰＥＴ）走査及び／又は超音波撮像を含む医用画像、（ｉｉｉ）医用画像のうちの１つ又は２つ以上に関する医師の注記、及び／又は（ｉｖ）１又は２以上の医用画像の題材のうちの１つ又は２つ以上に対応する医療記録、を含むことができる、
【００８４】
スナップショット生成ロジック７３３は、レイアウトテンプレートの少なくとも第１の状態を保存するためのロジックを含む。第１の状態の保存は、少なくとも（ｉ）１又は２以上の情報と、（ｉｉ）非一時的コンピュータ可読媒体内の１又は２以上の情報の各々の視認性とを記憶することを含むことができる。レイアウトテンプレートは、自動画像解析アルゴリズムからの所見に関連する画像データを示す医療検査資料の１又は２以上の画像を示すことができる。スナップショット生成ロジック７３３は、医療記録又は医療レポート内にスナップショットを保存し、及び／又はスナップショットを所定の位置に送信することができる。
【００８５】
ディスプレイ制御ロジック７３４は、ユーザインターフェイスと、上述したような局所的に描画される画像とを表示するためのロジックを含む。１つの実施形態では、ディスプレイ制御ロジック７３４が、画像、上述したユーザインターフェイス及びリスト（例えば、ワークリスト）を表示するブラウザを表示するためのロジックを含む。
【００８６】
画像及びパラメータ値データベース７３５、注記データベース７３６、及び記録データベース７３７は、単一の非一時的コンピュータ可読媒体記憶装置を含むことも、或いはそれぞれを独立した非一時的コンピュータ可読媒体記憶装置とすることもできる。画像データベース７３５は、ビューア又は他のＧＵＩの表示領域内にユーザがインポートできるパラメータ値及び医用画像を記憶する。注記データベース７３６は、医師、看護師、医療技師などが記録した、ユーザがレイアウトテンプレートの表示領域内にインポートできる注記を記憶する。最後に、記録データベース７３７は、ユーザがレイアウトテンプレートの表示領域内にインポートできる医療記録を記憶する。
【００８７】
本明細書では、複数の実施形態例について説明した。
【００８８】
例１は、医用画像管理システムの、１又は２以上の未読の医療検査資料を含む医療検査資料のリストを表示する第１のユーザインターフェイスを構成するためのユーザ指定の構成情報にアクセスするステップと、リスト内の少なくとも１つの未読の医療検査資料内の１又は２以上の画像に対して自動画像解析を実行することによって得られる所見に基づいて、ユーザ指定の構成情報に従って少なくとも１つの未読の医療検査資料の優先度情報を決定することを含む、１又は２以上の未読の医療検査資料の優先度情報を含む医療検査資料のリストを含む第１のユーザインターフェイスを作成するステップと、優先度情報を含む医療検査資料のリストを含む第１のユーザインターフェイスを医用画像管理システムのディスプレイ画面上に表示するステップと、を含む方法である。
【００８９】
例２は、ユーザ指定の構成情報にアクセスするステップが、１又は２以上の未読の医療検査資料が生成された旨の指示を医用画像管理システムが受け取ったことに応答して行われることを任意に含むことができる例１の方法である。
【００９０】
例３は、リスト上の医療検査資料の選択を示すユーザ入力を受け取るステップと、ユーザ入力を受け取ったことに応答して、療検査資料を開くステップと、医療検査資料からの１又は２以上の画像を表示するステップと、を任意に含むことができる例１の方法である。
【００９１】
例４は、医用画像管理システムに関連するディスプレイ画面上に、自動画像解析アルゴリズムの結果の優先レベルを指定するユーザ入力を受け取る第２のユーザインターフェイスを表示するステップと、第２のユーザインターフェイスのユーザインターフェイス要素にユーザが関与している間に作成された少なくとも１つのユーザ入力からユーザ入力情報を取り込むステップと、ユーザ入力情報に基づいて、ユーザ指定の構成情報を作成するステップと、を任意に含むことができる例１の方法である。
【００９２】
例５は、第２のユーザインターフェイスが、自動画像解析アルゴリズムの所見の優先レベルを自動画像解析アルゴリズム毎に設定するためのユーザ入力を受け取ることができることを任意に含むことができる例４の方法である。
【００９３】
例６は、第２のユーザインターフェイスが、医療検査資料内の１又は２以上の画像に画像解析アルゴリズムを適用することによって得られる数値及びテキスト所見の一方又は両方に基づいて医療検査資料の優先度を設定するためのユーザ入力に応答することを任意に含むことができる例４の方法である。
【００９４】
例７は、数値が異常性スコアを含むことを任意に含むことができる例６の方法である。
【００９５】
例８は、第２のユーザインターフェイスが、優先レベルに関連する数値の範囲をユーザが指定できるようにすることを可能にすることを任意に含むことができる例６の方法である。
【００９６】
例９は、優先度情報が、各医療検査資料内の少なくとも１つの画像に対して自動画像解析が実行されたかどうかを示し、画像解析が実行された場合、所見が存在して、ユーザインターフェイスを介して指定された１又は２以上のキーワードを含むこと、所見は存在するが、ユーザインターフェイスを介して指定された１又は２以上のキーワードを含まないこと、所見は存在するが、テキストが含まれていないこと、及び所見が存在しないこと、のうちの１又は２以上を示すことを任意に含むことができる例１の方法である。
【００９７】
例１０は、ユーザ指定の構成情報が、医療検査資料の１又は２以上の画像に対して実行された自動画像解析の結果における所定の所見に応答して、アラートを送信すべきである旨を示すことを任意に含むことができる例１の方法である。
【００９８】
例１１は、アラートがメッセージ又はチャット指示を含むことを任意に含むことができる例１０の方法である。
【００９９】
例１２は、アラートが画像へのリンクを含み、方法が、リンクのユーザ選択を受け取るステップと、リンクに関連する画像を含む検査資料を開くステップと、画像を表示するステップとをさらに含むことを任意に含むことができる例１０の方法である。
【０１００】
例１３は、所定の所見に関連する状態に対処する役割を担う１又は２以上の所定の医療提供者にアラートを送信するステップを任意に含むことができる例１０の方法である。
【０１０１】
例１４は、未読の医療検査資料のうちの１つの医療検査資料内の画像であって、画像に自動画像解析アルゴリズムを適用することによって得られる所見に関連する情報を示す画像のスナップショットを作成するステップと、スナップショットを医療レポート内にエクスポートするステップと、を任意に含むことができる例１の方法である。
【０１０２】
例１５は、医療検査資料を受け取るためのネットワーク通信インターフェイスと、ネットワーク通信インターフェイスに結合されて、受け取った医療検査資料を記憶するメモリと、メモリに結合されて、受け取った医療検査資料を表示するディスプレイ画面と、ネットワーク接続インターフェイス、メモリ及びディスプレイ画面に結合された１又は２以上のプロセッサと、を備え、１又は２以上のプロセッサが、医用画像管理システムの、１又は２以上の未読の医療検査資料を含む医療検査資料のリストを表示する第１のユーザインターフェイスを構成するためのユーザ指定の構成情報にアクセスし、リスト内の少なくとも１つの未読の医療検査資料内の１又は２以上の画像に対して自動画像解析を実行することによって得られる所見に基づいて、ユーザ指定の構成情報に従って少なくとも１つの未読の医療検査資料の優先度情報を決定する、１又は２以上の未読の医療検査資料の優先度情報を含む医療検査資料のリストを含む第１のユーザインターフェイスを作成し、優先度情報を含む医療検査資料のリストを含む第１のユーザインターフェイスをディスプレイ画面上に表示するように構成される、システムである。
【０１０３】
例１６は、１又は２以上のプロセッサのうちの少なくとも１つのプロセッサがさらに、医用画像管理システムに関連するディスプレイ画面上に、自動画像解析アルゴリズムの結果の優先レベルを指定するユーザ入力を受け取る第２のユーザインターフェイスを表示し、第２のユーザインターフェイスのユーザインターフェイス要素にユーザが関与している間に作成された少なくとも１つのユーザ入力からユーザ入力情報を取り込ませ、ユーザ入力情報に基づいて、ユーザ指定の構成情報を作成することができることを任意に含むことができる例１５のシステムである。
【０１０４】
例１７は、第２のユーザインターフェイスが、自動画像解析アルゴリズムの所見の優先レベルを自動画像解析アルゴリズム毎に設定するためのユーザ入力を受け取ることができることを任意に含むことができる例１６のシステムである。
【０１０５】
例１８は、第２のユーザインターフェイスが、医療検査資料内の１又は２以上の画像に画像解析アルゴリズムを適用することによって得られる数値及びテキスト所見の一方又は両方に基づいて医療検査資料の優先度を設定するためのユーザ入力に応答することを任意に含むことができる例１６のシステムである。
【０１０６】
例１９は、数値が異常性スコアを含むことを任意に含むことができる例１８のシステムである。
【０１０７】
例２０は、第２のユーザインターフェイスが、優先レベルに関連する数値の範囲をユーザが指定できるようにすることを任意に含むことができる例１８のシステムである。
【０１０８】
例２１は、優先度情報が、各医療検査資料内の少なくとも１つの画像に対して自動画像解析が実行されたかどうかを示し、画像解析が実行された場合、所見が存在して、ユーザインターフェイスを介して指定された１又は２以上のキーワードを含むこと、所見は存在するが、ユーザインターフェイスを介して指定された１又は２以上のキーワードを含まないこと、所見は存在するが、テキストが含まれていないこと、及び所見が存在しないこと、のうちの１又は２以上を示すことを任意に含むことができる例１５のシステムである。
【０１０９】
例２２は、ユーザ指定の構成情報が、医療検査資料の１又は２以上の画像に対して実行された自動画像解析の結果における所定の所見に応答して、アラートを送信すべきである旨を示し、１又は２以上のプロセッサのうちの少なくとも１つのプロセッサがさらに、ネットワーク通信インターフェイスを介して、所定の所見に関連する状態に対処する役割を担う１又は２以上の所定の医療提供者にアラートを送信できることを任意に含むことができる例１５のシステムである。
【０１１０】
例２３は、命令を記憶した非一時的コンピュータ可読記憶媒体であって、命令が、少なくともプロセッサと、メモリと、ディスプレイ画面とを有するシステムによって実行された時に、システムに、医用画像管理システムの、１又は２以上の未読の医療検査資料を含む医療検査資料のリストを表示する第１のユーザインターフェイスを構成するためのユーザ指定の構成情報にアクセスするステップと、リスト内の少なくとも１つの未読の医療検査資料内の１又は２以上の画像に対して自動画像解析を実行することによって得られる所見に基づいて、ユーザ指定の構成情報に従って少なくとも１つの未読の医療検査資料の優先度情報を決定することを含む、１又は２以上の未読の医療検査資料の優先度情報を含む医療検査資料のリストを含む第１のユーザインターフェイスを作成するステップと、優先度情報を含む医療検査資料のリストを含む第１ユーザインターフェイスを医用画像管理システムのディスプレイ画面上に表示するステップと、を含む方法を実行させる、コンピュータ可読記憶媒体である。
【０１１１】
例２４は、方法が、医用画像管理システムに関連するディスプレイ画面上に、自動画像解析アルゴリズムの結果の優先レベルを指定するユーザ入力を受け取る第２のユーザインターフェイスを表示するステップと、第２のユーザインターフェイスのユーザインターフェイス要素にユーザが関与している間に作成された少なくとも１つのユーザ入力からユーザ入力情報を取り込むステップと、ユーザ入力情報に基づいて、ユーザ指定の構成情報を作成するステップと、をさらに含むことを任意に含むことができる例２３のコンピュータ可読記憶媒体である。
【０１１２】
例２５は、第２のユーザインターフェイスが、自動画像解析アルゴリズムの所見の優先レベルを自動画像解析アルゴリズム毎に設定するためのユーザ入力を受け取ることができることを任意に含むことができる例２４のコンピュータ可読記憶媒体である。
【０１１３】
例２６は、第２のユーザインターフェイスが、医療検査資料内の１又は２以上の画像に画像解析アルゴリズムを適用することによって得られる数値及びテキスト所見の一方又は両方に基づいて医療検査資料の優先度を設定するためのユーザ入力に応答することを任意に含むことができる例２４のコンピュータ可読記憶媒体である。
【０１１４】
例２７は、数値が異常性スコアを含むことを任意に含むことができる例２６のコンピュータ可読記憶媒体である。
【０１１５】
例２８は、第２のユーザインターフェイスが、優先レベルに関連する数値の範囲をユーザが指定できるようにすることを任意に含むことができる例２６のコンピュータ可読記憶媒体である。
【０１１６】
例２９は、優先度情報が、各医療検査資料内の少なくとも１つの画像に対して自動画像解析が実行されたかどうかを示し、画像解析が実行された場合、所見が存在して、ユーザインターフェイスを介して指定された１又は２以上のキーワードを含むこと、所見は存在するが、ユーザインターフェイスを介して指定された１又は２以上のキーワードを含まないこと、所見は存在するが、テキストが含まれていないこと、及び所見が存在しないこと、のうちの１又は２以上を示すことを任意に含むことができる例２３のコンピュータ可読記憶媒体である。
【０１１７】
例３０は、ユーザ指定の構成情報が、医療検査資料の１又は２以上の画像に対して実行された自動画像解析の結果における所定の所見に応答して、アラートを送信すべきである旨を示し、方法が、所定の所見に関連する状態に対処する役割を担う１又は２以上の所定の医療提供者にアラートを送信するステップをさらに含むことを任意に含むことができる例２３のコンピュータ可読記憶媒体である。
【０１１８】
上記の詳細な説明の一部は、コンピュータメモリ内のデータビットに対する演算のアルゴリズム及び記号的表現の観点から示したものである。これらのアルゴリズム的な記述及び表現は、データ処理技術における当業者が自らの研究内容を他の当業者に最も効果的に伝えるために使用する手段である。ここでは、及び一般的に、アルゴリズムとは、望ましい結果をもたらす首尾一貫した一連のステップであると考えられる。これらのステップは、物理量の物理的操作を必要とするものである。これらの量は、必ずというわけではないが、通常は、記憶、転送、合成、比較及び他の形の操作が可能な電気又は磁気信号の形を取る。主に共通使用という理由で、時にはこれらの信号を、ビット、値、要素、記号、文字、用語、番号などと呼ぶことが便利であると分かっている。
【０１１９】
しかしながら、これらの及び同様の用語は、全て適切な物理量に関連付けられるべきものであり、またこれらの量に与えられた便利な表記に過ぎないことに留意されたい。以下の説明から明らかなように、特に別途述べていない限り、説明全体を通じて「処理する（ｐｒｏｃｅｓｓｉｎｇ）」、「算出する（ｃｏｍｐｕｔｉｎｇ）」、「計算する（ｃａｌｃｕｌａｔｉｎｇ）」、「決定する（ｄｅｔｅｒｍｉｎｉｎｇ）」又は「表示する（ｄｉｓｐｌａｙｉｎｇ）」などの用語を利用した説明は、コンピュータシステムのレジスタ及びメモリ内の物理（例えば、電子）量として表されるデータを操作し、コンピュータシステムのメモリ、レジスタ、又はその他のこのような情報記憶装置、送信又は表示装置内の物理量として同様に表される他のデータに変形させるコンピュータシステム又は同様の電子コンピュータ装置の動作及び処理を意味すると理解されたい。
【０１２０】
本発明は、本明細書の動作を実行する装置にも関する。この装置は、必要な目的のために特別に構成することも、或いはコンピュータに記憶されたコンピュータプログラムによって選択的に起動又は再構成される汎用コンピュータを含むこともできる。このようなコンピュータプログラムは、以下に限定されるわけではないが、フロッピーディスク、光ディスク、ＣＤ−ＲＯＭ、及び光磁気ディスクを含むあらゆる種類のディスク、リードオンリメモリ（ＲＯＭ）、ランダムアクセスメモリ（ＲＡＭ）、ＥＰＲＯＭ、ＥＥＰＲＯＭ、磁気又は光カード、或いは電子命令を記憶するのに適したあらゆるタイプの媒体などのコンピュータ可読記憶媒体に記憶することができ、これらはそれぞれコンピュータシステムバスに結合される。
【０１２１】
本明細書に示すアルゴリズム及び表示は、本質的にいずれかの特定のコンピュータ又はその他の装置に関連するものではない。本明細書の教示に従うプログラムと共に様々な汎用システムを使用することもでき、或いはいくつかの実施形態の方法を実行するために、より特殊化した装置を構成することが便利であると証明することもできる。以下の説明から、これらの様々なシステムに必要な構造が明らかになるであろう。また、本発明は、いずれかの特定のプログラミング言語を参照しながら説明したものではない。様々なプログラミング言語を使用して、本明細書で説明した本発明の教示を実施することができると理解されるであろう。
【０１２２】
機械可読媒体は、機械（コンピュータなど）による読み取りが可能な形で情報を記憶又は送信するいずれかの機構を含むことができる。例えば、機械可読媒体は、リードオンリメモリ（「ＲＯＭ」）、ランダムアクセスメモリ（「ＲＡＭ」）、磁気ディスク記憶媒体、光記憶媒体、フラッシュメモリデバイス、電気、光、音響又はその他の形の伝播信号（例えば、搬送波、赤外線信号、デジタル信号など）などを含む。
【０１２３】
上記の説明を読めば、当業者には本発明の多くの変更及び修正が明らかになると思われるが、一例として図示し説明したあらゆる特定の実施形態は、決して限定的と見なされるように意図したものではないと理解されたい。従って、様々な実施形態の詳細についての言及は、本発明にとって必須とみなす特徴のみを記載した特許請求の範囲を限定するように意図したものではない。
【図１】
2020087471.tif 000003
【図２】
2020087471.tif 000004
【図３】
2020087471.tif 000005
【図４】
2020087471.tif 000006
【図５Ａ】
2020087471.tif 000007
【図５Ｂ】
2020087471.tif 000008
【図６】
2020087471.tif 000009
【図７】
2020087471.tif 000010
【外国語明細書】
2020087471000001.pdf